【手続補正書】
【提出日】平成19年3月15日(2007.3.15)
【手続補正１】
【補正対象書類名】明細書
【補正対象項目名】発明の名称
【補正方法】変更
【補正の内容】
【発明の名称】通信装置および通信方法、並びに記録媒体
【手続補正２】
【補正対象書類名】明細書
【補正対象項目名】特許請求の範囲
【補正方法】変更
【補正の内容】
【特許請求の範囲】
【請求項１】  外部装置からの要求に応じてデータを送信する通信装置であって、
複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、
前記メインデータとサブデータとを組みにしたデータであるパッケージデータを複数記憶する記憶手段と、
前記外部装置からの要求に応じて、前記記憶手段から所望のパッケージデータを検索する検索手段と、
前記検索手段により検索されたパッケージデータを暗号化し、暗号化パッケージデータを出力する暗号化手段と、
前記暗号化手段により暗号化されたパッケージデータを、前記外部装置に送信する通信手段と
を備えることを特徴とする通信装置。
【請求項２】  
前記記憶手段は、
ビジュアルデータ、オーディオデータ、及びテキストデータのうちのいずれかのメディアであるメインデータと、
複数のビジュアルデータ、複数のオーディオデータ、及び複数のテキストデータと、各データに対応するURL（Uniform Resource Locator）アドレスとを有するサブデータと
から構成されるパッケージデータを複数記憶している
ことを特徴とする請求項１に記載の通信装置。
【請求項３】
前記記憶手段のサブデータは、複数のオーディオデータの各データに対応するアイコンデータを、さらに有する
ことを特徴とする請求項２に記載の通信装置。
【請求項４】
前記検索手段は、前記外部装置からのＵＲＬアドレスに応じて、前記記憶手段から所望のパッケージデータを検索する
ことを特徴とする請求項１に記載の通信装置。
【請求項５】
前記外部装置への前記パッケージデータの提供に応じて、前記外部装置を使用するユーザのクレジットカード番号を含む個人情報、及び前記パッケージデータに対応する課金処理を実行する課金処理手段
をさらに備えることを特徴とする請求項１に記載の通信装置。
【請求項６】
前記外部装置を使用するユーザのユーザ情報を記憶するユーザ情報記憶手段と、
前記ユーザ情報記憶手段に記憶されるユーザ情報に基づいて、前記記憶手段に記憶されるパッケージデータ内のサブデータ、或いは当該サブデータから前記パッケージデータにリンクしているリンクデータを変更する変更手段と
をさらに備えることを特徴とする請求項１に記載の通信装置。
【請求項７】
前記ユーザ情報記憶手段は、
前記ユーザ毎に、当該ユーザが購入した前記パッケージデータの数をジャンル毎に記憶し、
前記ユーザ毎に、前記サブデータの変更内容、及び前記リンクデータの変更内容を記憶する
ことを特徴とする請求項６に記載の通信装置。
【請求項８】
前記記憶手段に記憶されるパッケージデータは、前記サブデータが前記メインデータに埋め込まれることにより構成される
ことを特徴とする請求項１に記載の通信装置。
【請求項９】
前記記憶手段に記憶されるパッケージデータは、前記サブデータに応じて、前記メインデータのエネルギの偏りを壊すことにより前記メインデータに前記サブデータが埋め込まれている
ことを特徴とする請求項８に記載の通信装置。
【請求項１０】
前記記憶手段に記憶されるパッケージデータを読み出すと共に、当該パッケージデータ内のサブデータに応じて、前記メインデータのエネルギの偏りを壊すことにより前記メインデータに前記サブデータを埋め込む埋め込み符号化手段
をさらに備えることを特徴とする請求項９に記載の通信装置。
【請求項１１】
前記埋め込み符号化手段は、前記サブデータに応じて、前記メインデータとしての画像データを所定単位でスワップして前記画像データの相関性の偏りを壊すことにより、前記画像データに前記サブデータを埋め込む
ことを特徴とする請求項１０に記載の通信装置。
【請求項１２】
前記埋め込み符号化手段は、前記サブデータに応じて、前記メインデータとしての画像データを所定単位でスワップして前記画像データの連続性の偏りを壊すことにより、前記画像データに前記サブデータを埋め込む
ことを特徴とする請求項１０に記載の通信装置。
【請求項１３】
前記埋め込み符号化手段は、前記サブデータに応じて、前記メインデータとしての画像データを所定単位でスワップして前記画像データの相似性の偏りを壊すことにより、前記画像データに前記サブデータを埋め込む
ことを特徴とする請求項１０に記載の通信装置。
【請求項１４】
外部装置からの要求に応じてデータを送信する通信方法であって、
複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、
前記外部装置からの要求に応じて、記憶手段から所望のパッケージデータを検索し、
前記検索されたパッケージデータを暗号化し、
前記暗号化されたパッケージデータを、前記外部装置に送信する
ステップを備えることを特徴とする通信方法。
【請求項１５】
外部装置からの要求に応じてデータを送信する処理を、コンピュータに行わせるプログラムが記録されている記録媒体であって、
複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、
前記外部装置からの要求に応じて、記憶手段から所望のパッケージデータを検索し、
前記検索されたパッケージデータを暗号化し、
前記暗号化されたパッケージデータを、前記外部装置に送信する
ステップを備える処理を、コンピュータに行わせるプログラムが記録されている
ことを特徴とする記録媒体。
【請求項１６】
外部装置からデータ受信する通信装置であって、
複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、
ユーザ指示に応じて、前記メインデータとサブデータとを組みにしたデータであるパッケージデータを、前記外部装置に要求する要求手段と、
前記要求手段による要求に応じて、前記外部装置から受信された前記パッケージデータのメインデータを出力する出力手段と、
前記出力手段に出力される前記メインデータに対するユーザ指示を検出するユーザ指示検出手段と、
前記ユーザ指示検出手段によりユーザ指示が検出されたとき、前記メインデータに対応するサブデータを前記出力手段に出力する出力制御手段と
を備え、
前記ユーザ指示検出手段により、前記サブデータの一部に対するユーザ指示が検出されたとき、前記要求手段は、当該サブデータの一部に対応するリンクデータに基づいて前記外部装置に新たなパッケージデータを要求する
ことを特徴とする通信装置。
【請求項１７】
前記パッケージデータは、
ビジュアルデータ、オーディオデータ、及びテキストデータのうちのいずれかのメディアであるメインデータと、
複数のビジュアルデータ、複数のオーディオデータ、及び複数のテキストデータと、各データに対応するＵＲＬアドレスとを有するサブデータと
から構成される
ことを特徴とする請求項１６に記載の通信装置。
【請求項１８】
前記サブデータは、オーディオデータに対応するアイコンデータをさらに有する
ことを特徴とする請求項１７に記載の通信装置。
【請求項１９】
前記出力手段は、前記外部装置から受信された前記パッケージデータのメインデータとしてのビジュアルデータをアイコン画像として出力し、
前記ユーザ指示検出手段は、前記出力手段に出力される前記アイコン画像に対するユーザのマウス指示に応じてユーザ指示を検出し、
前記出力制御手段は、前記ユーザ指示の検出に応じて、前記メインデータに対応するサブデータをメニューで表示する
ことを特徴とする請求項１７に記載の通信装置。
【請求項２０】
前記出力手段は、前記外部装置から受信された前記パッケージデータのメインデータとしてのビジュアルデータをアイコン画像として出力し、
前記ユーザ指示検出手段は、前記出力手段に出力される前記アイコン画像に対するユーザのマウス指示に応じてユーザ指示を検出し、
前記出力制御手段は、前記ユーザ指示の検出に応じて、前記メインデータに対応するサブデータを出力し、
ビジュアルデータとして、アイコン画像が並べて表示され、
オーディオデータとして、複数のオーディオデータを選択再生可能な操作部が表示され、
テキストデータとして、複数のテキストデータがメニューで表示される
ことを特徴とする請求項１８に記載の通信装置。
【請求項２１】
前記要求手段は、ユーザ指示されたサブデータの一部のデータに対応するＵＲＬアドレスを、前記外部装置に送信する
ことを特徴とする請求項１６に記載の通信装置。
【請求項２２】
前記パッケージデータを記憶する記憶手段をさらに備え、
前記要求手段は、前記外部装置に、定期的に前記記憶手段に記憶されるパッケージデータを要求し、当該パッケージデータをアップデートする
ことを特徴とする請求項２１に記載の通信装置。
【請求項２３】
前記通信装置を使用するユーザのユーザ情報を記憶するユーザ情報記憶手段と、
前記ユーザ情報記憶手段に記憶されるユーザ情報に基づいて、前記記憶手段に記憶されるパッケージデータ内のサブデータ、或いは当該サブデータから前記パッケージデータにリンクしているリンクデータを変更させる変更情報を前記外部装置に送信する送信手段と
をさらに備え、
前記外部装置において、前記変更情報に基づいて変更されたパッケージデータが作成される
ことを特徴とする請求項２２に記載の通信装置。
【請求項２４】
前記ユーザ情報記憶手段は、
前記ユーザ毎に、当該ユーザが購入した前記パッケージデータの数をジャンル毎に記憶し、
前記ユーザ毎に、前記サブデータの変更内容、及び前記リンクデータの変更内容を記憶する
ことを特徴とする請求項２３に記載の通信装置。
【請求項２５】
前記パッケージデータは、前記サブデータが前記メインデータに埋め込まれることにより構成される
ことを特徴とする請求項１６に記載の通信装置。
【請求項２６】
前記パッケージデータは、前記サブデータに応じて、前記メインデータのエネルギの偏りを壊すことにより前記メインデータに前記サブデータが埋め込まれている
ことを特徴とする請求項２５に記載の通信装置。
【請求項２７】
前記パッケージデータは、前記サブデータに応じて、前記メインデータとしての画像データを所定単位でスワップして前記画像データの相関性の偏りを壊すことにより、前記画像データに前記サブデータが埋め込まれる
ことを特徴とする請求項２６に記載の通信装置。
【請求項２８】
前記パッケージデータは、前記サブデータに応じて、前記メインデータとしての画像データを所定単位でスワップして前記画像データの連続性の偏りを壊すことにより、前記画像データに前記サブデータが埋め込まれる
ことを特徴とする請求項２６に記載の通信装置。
【請求項２９】
前記パッケージデータは、前記サブデータに応じて、前記メインデータとしての画像データを所定単位でスワップして前記画像データの相似性の偏りを壊すことにより、前記画像データに前記サブデータが埋め込まれる
ことを特徴とする請求項２６に記載の通信装置。
【請求項３０】
外部装置からデータ受信する通信方法であって、
複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、
ユーザ指示に応じて、前記メインデータとサブデータとを組みにしたデータであるパッケージデータを、前記外部装置に要求し、
前記要求に応じて、前記外部装置から受信された前記パッケージデータのメインデータを出力し、
前記出力される前記メインデータに対するユーザ指示を検出し、
前記ユーザ指示が検出されたとき、前記メインデータに対応するサブデータを出力する
ステップを備え、
前記サブデータの一部に対するユーザ指示が検出されたとき、当該サブデータの一部に対応するリンクデータに基づいて前記外部装置に新たなパッケージデータを要求する
ことを特徴とする通信方法。
【請求項３１】
外部装置からデータ受信する処理を、コンピュータに行わせるプログラムが記録されている記録媒体であって、
複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、
ユーザ指示に応じて、前記メインデータとサブデータとを組みにしたデータであるパッケージデータを、前記外部装置に要求し、
前記要求に応じて、前記外部装置から受信された前記パッケージデータのメインデータを出力し、
前記出力される前記メインデータに対するユーザ指示を検出し、
前記ユーザ指示が検出されたとき、前記メインデータに対応するサブデータを出力する
ステップを備え、
前記サブデータの一部に対するユーザ指示が検出されたとき、当該サブデータの一部に対応するリンクデータに基づいて前記外部装置に新たなパッケージデータを要求する
処理を、コンピュータに行わせるプログラムが記録されている
ことを特徴とする記録媒体。
【手続補正３】
【補正対象書類名】明細書
【補正対象項目名】０００１
【補正方法】変更
【補正の内容】
【０００１】
【発明の属する技術分野】
本発明は、通信装置および通信方法、並びに記録媒体に関し、特に、例えば、所望の情報を、所望のメディアで得ることができるようにするとともに、例えば、広告等を、ユーザに必ず見せることができるようにする通信装置および通信方法、並びに記録媒体に関する。
【手続補正４】
【補正対象書類名】明細書
【補正対象項目名】０００７
【補正方法】変更
【補正の内容】
【０００７】
【課題を解決するための手段】
本発明の第１の通信装置は、複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、メインデータとサブデータとを組みにしたデータであるパッケージデータを複数記憶する記憶手段と、外部装置からの要求に応じて、記憶手段から所望のパッケージデータを検索する検索手段と、検索手段により検索されたパッケージデータを暗号化し、暗号化パッケージデータを出力する暗号化手段と、暗号化手段により暗号化されたパッケージデータを、外部装置に送信する通信手段とを備えることを特徴とする。
【手続補正５】
【補正対象書類名】明細書
【補正対象項目名】０００８
【補正方法】変更
【補正の内容】
【０００８】
本発明の第１の通信方法は、複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、外部装置からの要求に応じて、記憶手段から所望のパッケージデータを検索し、検索されたパッケージデータを暗号化し、暗号化されたパッケージデータを、外部装置に送信するステップを備えることを特徴とする。
【手続補正６】
【補正対象書類名】明細書
【補正対象項目名】０００９
【補正方法】変更
【補正の内容】
【０００９】
本発明の第１の記録媒体は、複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、外部装置からの要求に応じて、記憶手段から所望のパッケージデータを検索し、検索されたパッケージデータを暗号化し、暗号化されたパッケージデータを、外部装置に送信するステップを備える処理を、コンピュータに行わせるプログラムが記録されていることを特徴とする。
【手続補正７】
【補正対象書類名】明細書
【補正対象項目名】００１０
【補正方法】変更
【補正の内容】
【００１０】
本発明の第２の通信装置は、複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、ユーザ指示に応じて、メインデータとサブデータとを組みにしたデータであるパッケージデータを、外部装置に要求する要求手段と、要求手段による要求に応じて、外部装置から受信されたパッケージデータのメインデータを出力する出力手段と、出力手段に出力されるメインデータに対するユーザ指示を検出するユーザ指示検出手段と、ユーザ指示検出手段によりユーザ指示が検出されたとき、メインデータに対応するサブデータを出力手段に出力する出力制御手段とを備え、ユーザ指示検出手段により、サブデータの一部に対するユーザ指示が検出されたとき、要求手段は、当該サブデータの一部に対応するリンクデータに基づいて外部装置に新たなパッケージデータを要求することを特徴とする。
【手続補正８】
【補正対象書類名】明細書
【補正対象項目名】００１１
【補正方法】変更
【補正の内容】
【００１１】
本発明の第２の通信方法は、複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、ユーザ指示に応じて、メインデータとサブデータとを組みにしたデータであるパッケージデータを、外部装置に要求し、要求に応じて、外部装置から受信されたパッケージデータのメインデータを出力し、出力されるメインデータに対するユーザ指示を検出し、ユーザ指示が検出されたとき、メインデータに対応するサブデータを出力するステップを備え、サブデータの一部に対するユーザ指示が検出されたとき、当該サブデータの一部に対応するリンクデータに基づいて外部装置に新たなパッケージデータを要求することを特徴とする。
【手続補正９】
【補正対象書類名】明細書
【補正対象項目名】００１２
【補正方法】変更
【補正の内容】
【００１２】
本発明の第２の記録媒体は、複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、ユーザ指示に応じて、メインデータとサブデータとを組みにしたデータであるパッケージデータを、外部装置に要求し、要求に応じて、外部装置から受信されたパッケージデータのメインデータを出力し、出力されるメインデータに対するユーザ指示を検出し、ユーザ指示が検出されたとき、メインデータに対応するサブデータを出力するステップを備え、サブデータの一部に対するユーザ指示が検出されたとき、当該サブデータの一部に対応するリンクデータに基づいて外部装置に新たなパッケージデータを要求する処理を、コンピュータに行わせるプログラムが記録されていることを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
本発明の第１の通信装置および通信方法、並びに記録媒体においては、複数のメディアのデータのうちのいずれか１つのメディアのデータをメインデータとするとともに、複数のメディアのデータのうちの２以上のメディアのデータであり、かつ任意のデータへのリンクが可能なデータをサブデータとする場合において、外部装置からの要求に応じて、記憶手段から所望のパッケージデータが検索され、検索されたパッケージデータが暗号化され、暗号化されたパッケージデータが、外部装置に送信される。
【手続補正１７】
【補正対象書類名】明細書
【補正対象項目名】００２０
【補正方法】変更
【補正の内容】
【００２０】
本発明の第２の通信装置および通信方法、並びに記録媒体においては、複数のメディアのデータのうちのいずれか１つのメディアのデータをメインデータとするとともに、複数のメディアのデータのうちの２以上のメディアのデータであり、かつ任意のデータへのリンクが可能なデータをサブデータとすると、ユーザ指示に応じて、メインデータとサブデータとを組みにしたデータであるパッケージデータが、外部装置に要求され、要求に応じて、外部装置から受信されたパッケージデータのメインデータが出力される。さらに、出力されるメインデータに対するユーザ指示が検出され、ユーザ指示が検出されたとき、メインデータに対応するサブデータが出力される。また、サブデータの一部に対するユーザ指示が検出されたとき、サブデータの一部に対応するリンクデータに基づいて外部装置に新たなパッケージデータが要求される。
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】０４８４
【補正方法】変更
【補正の内容】
【０４８４】
【発明の効果】
本発明の第１の通信装置および通信方法、並びに記録媒体によれば、ユーザは、所望のメディアによるデータの提供を受けることが可能となる。
【手続補正２１】
【補正対象書類名】明細書
【補正対象項目名】０４８５
【補正方法】変更
【補正の内容】
【０４８５】
本発明の第２の通信装置および通信方法、並びに記録媒体によれば、ユーザは、所望のメディアによるデータの提供を、単純なインタフェースによって受けることが可能となる。
【手続補正２２】
【補正対象書類名】明細書
【補正対象項目名】０４８６
【補正方法】削除
【補正の内容】
【手続補正２３】
【補正対象書類名】明細書
【補正対象項目名】０４８７
【補正方法】削除
【補正の内容】